(57)【要約】【課題】従来の携帯端末機器では、限られたキー数では、画像の所望の箇所を拡大表示または縮小表示をすることが出来ず、また、表示部より大きい表示サイズの画像データを表示出来ないという問題があった。【解決手段】本発明の携帯端末機器では、画像移動モードと画像拡大／縮小モードとを有し、両モードは、表示部１７に表示される切替アイコン３３により、直接、切り替えられる。そのことで、画像移動モードでは、表示部１７よりも表示サイズの大きい原画像３１を表示し、その原画像３１を十字キーで移動させることができる。そして、画像拡大／縮小モードでは、原画像３１を十字キーで拡大または縮小表示させることができる。その結果、種々の表示サイズの画像データが扱え、その所望の箇所の拡大または縮小表示をすることができる。【選択図】    図４
2004235805.tif 000002
【特許請求の範囲】
【請求項１】
画像を表示する表示手段と、
前記表示手段が備える表示体に表示された前記画像を前記表示体に対し所望の位置に移動させる画像位置移動手段と、
前記画像の所望の箇所を中心として前記画像の拡大処理または縮小処理を行う画像サイズ変換表示手段と、
前記画像位置移動手段と前記画像サイズ変換手段とを移行させる移行制御手段とを有することを特徴とする携帯端末機器。
【請求項２】
前記移行制御手段は前記画像に対し前記画像位置移動手段と前記画像サイズ変換手段とを所望のタイミングで移行し、前記画像サイズ変換手段は前記画像を前記表示体の一点を中心として拡大処理または縮小処理を行うことを特徴とする請求項１に記載の携帯端末機器。
【請求項３】
操作手段を備え、前記画像位置移動手段と前記画像サイズ変換手段とは同じ前記操作手段により行われることを特徴とする請求項１または請求項２に記載の携帯端末機器。
【請求項４】
前記移行制御手段は前記表示体に前記画像位置移動手段と前記画像サイズ変換手段との移行を表すショートカットキーを表示させ、前記ショートカットキーに対応する前記操作手段の入力により移行を行うことを特徴とする請求項３に記載の携帯端末機器。
【請求項５】
前記操作手段は少なくとも前記画像を前記表示体に対し上下方向及び左右方向へ移動させる十字キーと前記ショートカットキーに対応する押下キーを有することを特徴とする請求項４に記載の携帯端末機器。
【請求項６】
前記画像の表示サイズは前記表示体のサイズよりも大きいことを特徴とする請求項１から請求項５のいずれかに記載の携帯端末機器。
【発明の詳細な説明】
【０００１】
【発明の属する技術分野】
本発明は、少ない操作キーを介して所望の画像の拡大または縮小を行い、表示する携帯端末機器に関するものである。
【０００２】
【従来の技術】
近年、携帯端末機器は小型化、高機能化が進んでいる。例えば、携帯電話機では、画面が大型化し、大量の文字情報や画像を表示出来るようになっている。
【０００３】
すなわち、携帯端末機器において表示画面が大型化し、多くの情報を表示出来るようになると共に、カラー化により画像の表示においても充分実用化が図れるようになる。また、更に、携帯端末機器においても、データ通信量が飛躍的に拡大するに従い、携帯端末機器の表示画面サイズに限定されない画像を取り扱うことが要望されている。
【０００４】
一方、最近の携帯電話機の中には、撮像レンズおよび入力光を電気信号に変換する撮像素子を備えるカメラが搭載されたいわゆるカメラ付携帯電話機があり、このカメラ付携帯電話機では、記憶容量、画像表示サイズ、カメラの解像度および処理能力が向上している。
【０００５】
従来の情報端末機器では、表示画面上にタブレットが重ねて設けられ、タブレットから入力されるペンタッチ位置の検出信号に応じて、予め記憶されているシステムプログラムを起動させることが出来、また、表示画面上に表示された画像を所望の位置へと移動させることができる。一方、上記情報端末機器では、ジョグキーを備え、該ジョグキーを上方向または下方向へと回転させることで選択表示された画像の拡大または縮小を行うことができる（例えば、特許文献１参照）。
【０００６】
【特許文献１】
特開２００２−１４９１５１号公報（第５−１３頁、第１−５図）
【０００７】
【発明が解決しようとする課題】
しかしながら、従来の携帯端末機器、例えば、携帯電話機では、画面表示サイズに制限があり、その画面表示サイズに合った画像データをインターネット、メールまたは搭載されたカメラ機能を介して取得していた。そのため、取得出来る画像データに制限があり、所望の画像データを自由に取得できないという問題があった。
【０００８】
また、従来の携帯電話機では、種々の画像サイズの画像データを取得することは出来るが、一定の画像サイズ以外の画像データは表示部に表示することが出来ず、画像データは保持できるが、使用者の携帯電話機で表示することができないという問題があった。そして、特に、表示画面サイズよりも大きい画像サイズの画像データをどのように表示し、その画像の所望の箇所をどのように表示するかという問題があった。
【０００９】
また、従来の携帯電話機では、パーソナルコンピュータ（以下、パソコンと呼ぶ）に用いられるマウス等のポインティングデバイスを有しておらず、また、操作キーの数が限られていた。そのため、取得した画像データを表示部に表示し、その表示された画像の所望の箇所を簡単な操作方法により、拡大または縮小することが困難であるという問題があった。
【００１０】
本発明は、例えば、少なくとも表示画面に対し、上下方向及び左右方向に所望の画像を移動させる十字キーと１つの押下キーとを備えた携帯電話機を用い、画像の拡大または縮小を行う機能と画像を表示画面に対し移動させる機能とを切替ながら、画像の所望の箇所を拡大及び縮小を行うことで、上述した課題を解決することを目的とする。
【００１１】
【課題を解決するための手段】
本発明は、上述した各事情に鑑みて成されたものであり、本発明の携帯端末機器では、画像を表示する表示手段と、前記表示手段が備える表示体に表示された前記画像を前記表示体に対し所望の位置に移動させる画像位置移動手段と、前記画像の所望の箇所を中心として前記画像の拡大処理または縮小処理を行う画像サイズ変換表示手段と、前記画像位置移動手段と前記画像サイズ変換手段とを移行させる移行制御手段とを有することを特徴とする。従って、本発明の携帯端末機器では、表示体に表示された画像に対し、画像位置移動手段と画像サイズ変換表示手段とを用いることで、該画像の所望の箇所の拡大表示及び縮小表示を行うことができる。
【００１２】
また、本発明の携帯端末機器では、前記移行制御手段は前記画像に対し前記画像位置移動手段と前記画像サイズ変換手段とを所望のタイミングで移行し、前記画像サイズ変換手段は前記画像を前記表示体の一点を中心として拡大処理または縮小処理を行うことを特徴とする。従って、本発明の携帯端末機器では、表示体に表示された１つの画像に対し、画像位置移動手段と画像サイズ変換表示手段とを、随時、切替ながら行うことで、該画像の所望の箇所を自由に選択しながら、拡大表示及び縮小表示を行うことができる。
【００１３】
また、本発明の携帯端末機器では、操作手段を備え、前記画像位置移動手段と前記画像サイズ変換手段とは同じ前記操作手段により行われることを特徴とする。従って、本発明の携帯端末機器では、画像位置移動手段と画像サイズ変換表示手段とを切替ながら別々に行うので、同一の操作キーをそれぞれの手段に用いることができる。
【００１４】
また、本発明の携帯端末機器では、前記移行制御手段は前記表示体に前記画像位置移動手段と前記画像サイズ変換手段との移行を表すショートカットキーを表示させ、前記ショートカットキーに対応する前記操作手段の入力により移行を行うことを特徴とする。従って、本発明の携帯端末機器では、表示体に前記画像位置移動手段と前記画像サイズ変換手段との移行を表すショートカットキーを表示し、そのショートカットキーに対応するキーを押下することで、両手段を切り替えることができる。
【００１５】
また、本発明の携帯端末機器では、前記操作手段は少なくとも前記画像を前記表示体に対し上下方向及び左右方向へ移動させる十字キーと前記ショートカットキーに対応する押下キーを有することを特徴とする。従って、本発明の携帯端末機器では、少なくとも十字キーと前記画像位置移動手段と前記画像サイズ変換手段との移行を表すショートカットキーに対応する押下キーとを有することで、両手段を行うことができる。
【００１６】
また、本発明の携帯端末機器では、前記画像の表示サイズは前記表示体のサイズよりも大きいことを特徴とする。従って、本発明の携帯端末機器では、表示体に表示する画像を所望の位置に移動させることができ、表示体サイズに制約受けず、種々の画像サイズの画像を表示体に表示することができる。
【００１７】
【発明の実施の形態】
以下に、本発明における一実施の形態について、図１〜図５を参照にして詳細に説明する。本発明は、任意の携帯端末機器に適用できるが、以下では、好適な実施の形態として、折り畳み可能なカメラ付携帯電話機１（以下、携帯電話機と呼ぶ。）について説明する。尚、以下では折り畳み可能な携帯電話機が示されているが、この形態に限定されるものではなく、例えば、ストレート式の携帯電話機の場合でも良い。また、カメラ機能が搭載されていない場合でも良い。
【００１８】
先ず、図１は本発明の一実施の形態である携帯電話機の（Ａ）開いた状態での内側（キー面）から見た概観図、（Ｂ）閉じた状態での外側（背面）から見た概観図であり、図２は同携帯電話機の電気的構成を説明する概略機能ブロック図である。
【００１９】
図１（Ａ）及び（Ｂ）に示す如く、例えば、スピーカ２は携帯電話機１の蓋部内側の上方中央に、マイク３は本体部内側の下方中央にそれぞれ配置されている。また、キー操作部１８は、表示画像の移動及び拡大／縮小表示を行う十字キー、カメラモードを起動させるカメラキー、撮影を行うためのシャッターキー、電源投入するための電源キー、メールモードを起動させるメールキー、数字・文字キー等から構成されている。
【００２０】
そして、表示部１７は、スピーカ２が配置されている蓋部内側に四角形状で配置されており、第２表示部４は四角い形状で蓋部外側の中央付近に配置されいる。更に、撮像部１２は、蓋部外側のヒンジ近くの中央付近に配置され、閉じた状態でも第２表示部４で被写体を確認しながら撮影ができる。また、背面キー５は第２表示部４の下方に配され、閉じた状態でシャッタキーとして使用され、使用者が自らを撮影するのに適している。一方、開いた状態で撮影する場合は、表示部１７あるいは第２表示部４で被写体を確認しながら、キー操作部１８のシャッタキーを押下することで撮影することができる。
【００２１】
図２に示す如く、本実施の形態の携帯電話機１は、主に、制御部１１、撮像部１２、画像処理部１３、第１メモリ１４、第２メモリ１５、表示ドライバ部１６、表示部１７、キー操作部１８、シャッターボタン１９、バックライト２０、画像拡大／縮小部２１、アンテナ２２、無線部２３、通信制御部２４を備えている。
【００２２】
制御部１１は、携帯電話機１を構成する各部位の動作を制御し、例えば、画像処理部１３、表示部１７、バックライト２０、画像拡大／縮小部２１等を制御する。撮像部１２は、撮像レンズと、ＣＣＤ（Ｃｈａｒｇｅ  Ｃｏｕｐｌｅｄ  Ｄｅｖｉｃｅ）イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどの撮像素子と、ＲＧＢの３色のカラーフィルタとを備える。撮像部１２は、被写体で反射されて撮像レンズに入射した光を、カラーフィルタを通してＲＧＢの３色光にし、ＲＧＢの３色光をそれぞれ前記撮像素子によって電気信号に変換する。
【００２３】
画像処理部１３は、増幅部、Ａ／Ｄ（アナログ／デジタル）変換部、信号処理部からなる。増幅部は、撮像部１２から送られてくるＲＧＢに対応した電気信号を増幅し、Ａ／Ｄ変換部に送る。Ａ／Ｄ変換部は、増幅部で増幅されたＲＧＢに対応した電気信号（アナログ）をデジタル信号に変換して画像データを出力し、信号処理部に送る。信号処理部は、Ａ／Ｄ変換部から送られてくる画像データに対して、画素の補間処理などの信号処理を行う。また信号処理部は、制御部１１から送られてくる制御信号に基づいて、信号処理を施した画像データを第１メモリ１４に送る。
【００２４】
第１メモリ１４は、信号処理部から送られてくる画像データを一時的に記憶している。例えば、時間的に古い画像データは消去する、あるいは最も新しい画像データを上書きすることで一時的に画像データを記憶する。また、第１メモリ１４では、画像拡大／縮小部２１で拡大処理または縮小処理される作業中の画像データが一時的に格納されている。
【００２５】
制御部１１は、表示ドライバ部１６に制御信号を送信するとともに、第１メモリ１４に記憶された画像データを、表示ドライバ部１６に送る。表示ドライバ部１６は、表示部１７に表示しようとする画像データに従って、表示部１７の各画素電極に対して駆動電圧を印加する。表示部１７は、液晶ディスプレイおよびＥＬ（Ｅｌｅｃｔｒｏ  Ｌｕｍｉｎｅｓｃｅｎｓｅ）ディスプレイなどで実現され、表示ドライバ部１６を介して送られてくる画像データに基づく画像を表示する。
【００２６】
バックライト２０は、発光素子である発光ダイオードなどから構成され、表示部１７を背面より照明する。バックライト２０の点灯、消灯の制御および輝度調整などの制御は、制御部１１によって行われる。尚、バックライト２０は、使用者によって消灯するための所定の操作が行われるまで点灯する構成としてもよいし、点灯してから所定時間が経過すると消灯する構成としてもよい。
【００２７】
キー操作部１８は、上述の如く、表示画像の移動及び拡大／縮小を行う十字キーなどから構成される。
【００２８】
シャッターボタン１９は、カメラ撮影時において、使用者が所望の画像を撮影したい時に押下される。そして、制御部１１は、シャッターボタン１９からの指示信号に応答して、第１メモリ１４に記憶されている画像データを第２メモリ１５に記憶、保存する。更に、第２メモリ１５は、第１メモリ１４に記憶されている画像データ、アンテナ２２等を介して受信した画像データ等の各種受信データを記憶する。
【００２９】
アンテナ２２は、無線電波を介して基地局と無線通信を行うときに、音声データ、文字データおよび画像データなどを送受信する。無線部２３は、受信時は、基地局からアンテナ２２を介して受信したデータを復調し、送信時は、通信制御部２４から送られてくる文字データおよび画像データなどを変調して増幅し、アンテナ２２を介して基地局に送信する。通信制御部２４は、無線部２３が復調した文字データおよび画像データなどの受信データを所定の通信プロトコルに基づいて制御部１１に送る。無線部２３、通信制御部２４を介して受信した相手先からの受信データは、第２メモリ１５に記憶される。
【００３０】
次に、図３は本発明の携帯電話機の画像移動モード及び画像拡大／縮小モードを説明するためのフローチャートであり、図４及び図５は同携帯電話機の画像移動モード及び画像拡大／縮小モードを具体的に説明するための図である。
【００３１】
先ず、図３に示す如く、使用者が携帯電話機１のキー操作部１８を操作し画像移動モードの起動を指示すると（ステップＳ１）、制御部１１は表示ドライバ部１６を制御し、表示部１７に使用者の所望の画像を表示させる（ステップＳ２）。そして、使用者が表示画面に従い、キー操作部１８の画像移動キー、例えば、十字キー（上下左右キー）を操作し、表示部１７の所望の位置に表示画像が表示されるように、画像移動キーを押下すると（ステップＳ３）、制御部１１は表示ドライバ部１６等を制御し、表示部１７に対して所望の位置に移動した表示画像を表示させる（ステップＳ４）。尚、本実施の形態では、この場合には、第２メモリ１５内に格納されている原画像が解凍され、表示部１７に表示される。しかし、例えば、原画像データが第２メモリ１５内に格納される際に、サムネイル画像データが作成され、サムネイル画像データが原画像データと共に格納されている場合には、サムネイル画像が解凍され、表示部１７に表示されても良い。
【００３２】
使用者が表示部１７に表示された表示画像を確認し、その表示画像の中で拡大表示または縮小表示することを望む箇所が表示部１７の中心部に位置しているか、否かを判断し、表示画像の所望箇所が表示部１７の中心部にあると判断した場合には（ステップＳ５のＹＥＳ）、使用者は、画像移動モードと画像拡大／縮小モードとを切り替える切替キーを押下する（ステップＳ６）。制御部１１は、画像移動モードを終了させ、画像拡大／縮小モードを起動させる（ステップＳ７）。このとき、本実施の形態では、制御部１１は、キー操作部１８を制御し、画像移動モード時に画像の移動を指示していた十字キー（上下左右キー）に、画像拡大／縮小モードでは、画像の拡大表示または縮小表示を指示する機能を担わせる。
【００３３】
そして、本実施の形態では、表示部１７に表示される切替キーというアイコン３３（図４参照）は、このアイコン表示に対応するキー操作部１８を押下すると、制御部１１が画像拡大／縮小部２１、表示ドライバ部１６、表示部１７等を制御し、携帯電話機１の機能を画像移動モードから画像拡大／縮小モードへと移行させる。つまり、本実施の形態では、この切替キーというアイコンはショートカットキーであり、メニュー画面を介して画像拡大／縮小モードを選択することなく、画像移動モードから直接画像拡大／縮小モードへと移行させることができる。また、その逆の動作も行うことができる。
【００３４】
一方、使用者が、表示画像の所望箇所が表示部１７の中心部にないと判断した場合には（ステップＳ５のＮＯ）、ステップＳ３へと戻り、キー操作部１８の画像移動キー、例えば、十字キー（上下左右キー）の操作により、表示部１７に対し所望の箇所の表示画像を表示させる。
【００３５】
そして、使用者がキー操作部１８の十字キー（上下左右キー）を操作し、例えば、表示画像を拡大表示させる場合には、十字キーの上キーを押下し、あるいは、表示画像を縮小表示させる場合には、十字キーの下キーを押下する（ステップＳ８）。制御部１１は第１メモリ１４、画像拡大／縮小部２１を制御し、画像データの拡大処理または縮小処理が行われる。そして、制御部１１は表示ドライバ部１６を制御し、表示部１７に拡大または縮小表示された画像を表示させる（ステップＳ９）。
【００３６】
再び、使用者が表示部１７に表示された表示画像を確認し、その表示画像の中で拡大表示または縮小表示することを望む箇所が表示部１７の中心部に位置しているか、否かをを判断し、所望箇所が表示部１７の中心部にあると判断した場合には（ステップＳ１０のＹＥＳ）、使用者は表示画像を拡大表示または縮小表示するかの判断を行う。そして、使用者が、再び、表示画像の拡大表示または縮小表示を望む場合には（ステップＳ１１のＹＥＳ）、ステップＳ８へと戻り、キー操作部１８を操作し、表示画像の拡大表示または縮小表示が行われる。
【００３７】
一方、使用者が、表示画像の拡大表示または縮小表示を望まない場合には（ステップＳ１１のＮＯ）、使用者は、キー操作部１８の保存キーを押下すると（ステップＳ１３のＹＥＳ）、制御部１１が、表示部１７に表示される画像データを第２メモリ１５へと格納させる（ステップＳ１４）。また、使用者が拡大表示または縮小表示した画像データを保存しない場合（ステップＳ１３のＮＯ）または、画像データを保存した後には、使用者が、キー操作部１８のクリアーキーを押下すると（ステップＳ１５のＹＥＳ）、画像拡大／縮小モードが終了し、待受状態となる。一方、使用者がクリアーキーを押下しない場合には（ステップＳ１５のＮＯ）、表示部１７に拡大表示または縮小表示された画像が表示された状態のままである。
【００３８】
また、ステップＳ１０において、使用者が、表示画像の所望箇所が表示部１７の中心部にないと判断した場合には（ステップＳ１０のＮＯ）、表示部１７に表示される切替キーというアイコン表示に対応するキー操作部１８を押下すると（ステップＳ１２）、制御部１１は、画像拡大／縮小モードを終了させ、画像移動モードを起動させる（ステップＳ１）。
【００３９】
尚、本実施の形態では、ステップＳ１５のクリアーキー押下した後に、画像拡大／縮小モードが終了しているが、この場合に限定する必要は無く、種々の形態に対応することができる。例えば、クリアーキー押下した後に、再び、ステップＳ１の画像移動モードが起動しても良い。また、本実施の形態では、保存キー及びクリアーキーは表示部１７に表示されるアイコンに対応するキー操作部１８を操作することで対応することも出来る。
【００４０】
上述したように、本実施の形態では、携帯電話機１に設けられた画像移動モードと画像拡大／縮小モードとを切替キーを介して、直接、両モードを切り替えることができる。そして、画像移動モードでは、キー操作部１８の十字キー（上下左右キー）を用い、表示画像を表示部１７に対し、移動させることができる。一方、画像拡大／縮小モードでは、キー操作部１８の十字キー（上下左右キー）を用い、表示画像の拡大または縮小を行うことができる。そのことで、本実施の形態では、携帯電話機１に、少なくとも十字キー（上下左右キー）及び切替キーの５つのキーが設けられていれば、それらのキーを介して、表示画像の所望の箇所を拡大表示または縮小表示することができる。つまり、携帯電話機１のように、キー操作部１８に設けられたキーの数が少ない環境化において、同じキーをそれぞれのモードにおいて、異なった役割を設定することで、種々のモードの操作を行うことができる。そして、本実施の形態では、携帯電話機１のみで、且つ、簡単な操作で、表示部１７に表示された画像の所望の箇所を拡大表示または縮小表示することができる。
【００４１】
次に、図４及び図５を用いて、具体的に、携帯電話機１の表示部１７に表示された画像の移動及び拡大／縮小表示について説明する。
【００４２】
先ず、図４（Ａ）では、四角の実線で示した領域が携帯電話機１の表示部１７の表示領域を示し、四角の一点鎖線で示した領域が原画像３１の表示領域を示している。そして、丸印３２で示した領域は使用者が拡大表示することを望んでいる領域である。尚、図４（Ａ）では、画像移動モードが起動している。
【００４３】
次に、図４（Ｂ）では、使用者は、キー操作部１８の十字キー（上下左右キー）を押下し、丸印３２を表示部１７の中心部に位置するように、原画像３１を移動させる。このとき、図４（Ｂ）においても、画像移動モードが起動しており、例えば、使用者が、紙面に対し、十字キーの左キーを９回押下し、丸印３２を表示部１７に対し、Ｘ軸方向の中心部に移動させる。
【００４４】
次に、図４（Ｃ）においても、画像移動モードが起動しており、例えば、使用者が、紙面に対し、十字キーの下キーを２回押下し、丸印３２を表示部１７に対し、Ｙ軸方向の中心部に移動させる。そして、使用者は丸印３２が表示部１７の中心部に位置していることを確認し、表示部１７の右下に表示されている切替アイコン３３に対応するキー操作部１８を押下する。この操作により、携帯電話機１の機能は画像拡大／縮小モードへと移行し、キー操作部１８の十字キー（上下左右キー）の上キーは拡大表示キーとなり、下キーは縮小表示キーとなる。
【００４５】
次に、図５（Ａ）では、携帯電話機１の画像拡大／縮小モードにおいて、使用者が上キーを３回押下することで、図４（Ｃ）に示した原画像を、縦横比を維持しつつ、等倍に拡大表示することを３回繰り返す。そして、使用者が拡大表示された表示画面を確認し、更に、拡大表示することを望み、拡大表示を望む丸印３２で示す領域が、表示部１７の中心部でない場合には、使用者は、表示部１７の右下に表示されている切替アイコン３３に対応するキー操作部１８を押下する。この操作により、携帯電話機１の機能は画像移動モードへと移行し、キー操作部１８の十字キー（上下左右キー）の押下により、原画像の一部３４を、再び、移動させることができる。そして、使用者は、キー操作部１８の十字キー（上下左右キー）を押下し、丸印３２を表示部１７の中心部に位置するように、原画像を移動させる。尚、本実施の形態では、表示部１７に表示されない領域も拡大されるので、図では、原画像の一部３４を示しており、実際は原画像３１ごと移動している。一方、例えば、表示部１７に表示されない原画像３１の領域は、拡大されない場合でも良く、この場合には、画像データ量を低減することが出来、メモリ容量も低減でき、処理速度を短縮することができる。
【００４６】
次に、図５（Ｂ）では、使用者は丸印３２が表示部１７の中心部に位置していることを確認し、表示部１７の右下に表示されている切替アイコン３３に対応するキー操作部１８を押下する。この操作により、携帯電話機１の機能は画像拡大／縮小モードへと移行し、キー操作部１８の十字キー（上下左右キー）の上キーは拡大表示キーとなり、下キーは縮小表示キーとなる。
【００４７】
最後に、図５（Ｃ）では、携帯電話機１の画像拡大／縮小モードにおいて、使用者が上キーを１回押下することで、図５（Ｂ）に示した原画像は、縦横比を維持しつつ、等倍に拡大表示される。そして、表示部１７には、使用者の所望の拡大画像が表示され、使用者が、その画像データの保存を望む場合には、保存キーを押下することで、第２メモリ１５には、原画像データと併せて、拡大表示画像データが格納される。
【００４８】
上述したように、本実施の形態では、表示部１７に表示された画像に対し、携帯電話機１に設けられた画像移動モードと画像拡大／縮小モードとを、随時、切替ながら、画像の任意の箇所の拡大表示または縮小表示を行うことができる。つまり、本実施の形態の携帯電話機１では、キー操作部１８のキー数が少なく、マウス等のポインティングデバイスを有さず、表示部１７に表示される画像の任意の箇所の拡大表示または縮小表示を行うことができる。そして、本実施の形態の携帯電話機１では、画像移動モードを有することで、表示部１７の表示サイズより大きい原画像データであっても、全ての領域を移動させながら表示部１７に表示することができる。そして、上述の如く、表示部１７の表示サイズより大きい原画像に対しても、全ての領域の任意の箇所の拡大表示または縮小表示を行うことができる。
【００４９】
尚、本実施の形態では、表示部の中心部から表示画像の拡大表示または縮小表示を行う場合について説明したが、この場合に限定する必要はない。例えば、表示部の任意の箇所に対して、拡大表示または縮小表示を行うことも可能である。また、最初に、画像拡大／縮小モードを起動させ、表示画像を所望の表示サイズに拡大表示または縮小表示させた後に、画像移動モードを起動させ所望の箇所を表示部に表示させることも出来る。その他、本発明の要旨を逸脱しない範囲で、種々の変更が可能である。
【００５０】
【発明の効果】
上述したように、第１に、本発明の携帯端末機器では、表示部に対し表示画像を移動させることができる画像位置移動手段と、表示画像の所望の箇所を拡大表示または縮小表示をすることができる画像サイズ変換表示手段と、該画像位置移動手段と該画像サイズ変換手段とを移行させる移行制御手段とを有している。そのことで、本発明の携帯端末機器では、移行制御手段により、該画像位置移動手段と該画像サイズ変換手段とを、直接、切り替えることができるので、キー操作部のキー数が少ない携帯端末機器においても、簡単なキー操作で、表示画像の任意の箇所の拡大表示または縮小表示を行うことができる。
【００５１】
第２に、本発明の携帯端末機器では、該画像位置移動手段と該画像サイズ変換手段とを移行させる移行制御手段により、随時、該画像位置移動手段と該画像サイズ変換手段とを移行させることができる。そのことで、本発明の携帯端末機器では、表示部に表示される表示画像の任意の箇所を、使用者が確認しながら、随時、拡大表示または縮小表示することができる。その結果、キー操作部のキー数が少なく、ポインティングデバイスを有しない携帯端末機器においても、同一のキーに複数の機能を持たせ、表示画像の任意の箇所を拡大表示または縮小表示することができる。
【００５２】
第３に、本発明の携帯端末機器では、表示部に対し表示画像を移動させることができる画像位置移動手段を有する。そのことで、本発明の携帯端末機器では、表示部に対し表示サイズが大きい画像データに対しても、その画像データを表示部に対し移動させることで、表示画像の任意の箇所を拡大表示または縮小表示することができる。その結果、携帯端末機器の表示部の表示サイズに限定されず、種々の表示サイズの画像データを取り扱うことができる。
【図面の簡単な説明】
【図１】本発明の一実施の形態である携帯電話機の（Ａ）開いた状態での内側（キー面）から見た概観図、（Ｂ）閉じた状態での外側（背面）から見た概観図である。
【図２】同携帯電話機の電気的構成を説明する概略機能ブロック図である。
【図３】同携帯電話機の画像移動モード及び画像拡大／縮小モードを説明する図である。
【図４】同携帯電話機の画像移動モード及び画像拡大／縮小モードを具体的に説明するための図である。
【図５】同携帯電話機の画像移動モード及び画像拡大／縮小モードを具体的に説明するための図である。
【符号の説明】
１          カメラ付携帯電話機
２          スピーカー
３          マイク
４          第２表示部
５          背面キー
１１          制御部
１２          撮像部
１３          画像処理部
１４          第１メモリ
１５          第２メモリ
１６          表示ドライバ部
１７          表示部
１８          キー操作部
１９          シャッターボタン
２０          バックライト
２１          画像拡大／縮小部
２２          アンテナ
２３          無線部
２４          通信制御部
【図１】
2004235805.tif 000003
【図２】
2004235805.tif 000004
【図３】
2004235805.tif 000005
【図４】
2004235805.tif 000006
【図５】
2004235805.tif 000007